(57)【要約】  本発明は、エリア変更イベントのロケーション要求の処理方法を示す。ＬＣＳシステムは対象ＵＥにエリア変更イベントのロケーション要求を送る。対象ＵＥは、上記要求の受信後、エリア変更イベントの発生を検出し、ＬＣＳのエリアイベントの報告をＬＣＳシステムに返す。ＬＣＳシステムは、上記報告の受信後、対象ＵＥのロケーション推定情報をＬＣＳクライアントに提供するか否かを決定し、提供するならばＬＣＳシステムは対象ＵＥを位置決めし、上記推定情報を備えたＬＣＳのエリアイベントの報告をＬＣＳクライアントに送り、さもなければＬＣＳシステムは単にＬＣＳのエリアイベントの報告をＬＣＳクライアントに送る。本方法によれば、ＬＣＳクライアントは対象ＵＥのＬＣＳのエリアイベントの報告を受信するとともに、対象ＵＥの特定のロケーション推定情報を取得することができ、さらに本発明は柔軟に選択できる様々な実施形態を提供する。
2007534180.tif 000002
【特許請求の範囲】
【請求項１】
エリア変更イベントのロケーション要求を処理するための方法であって、
Ａ．  ＬＣＳシステムは対象ＵＥにエリア変更イベントのロケーション要求を送信し、対象ＵＥは、エリア変更イベントのロケーション要求を受信してエリア変更イベントが発生したことを検出した後、ＬＣＳシステムにＬＣＳのエリアイベントの報告を返信するステップと、
Ｂ．  ＬＣＳシステムは、ＬＣＳのエリアイベントの報告を受信した後、対象ＵＥのロケーション推定情報をＬＣＳクライアントに提供するか否かを決定し、提供するのであればステップＣを実行し、そうでなければＬＣＳシステムは単にＬＣＳのエリアイベントの報告をＬＣＳクライアントに送信してエリア変更イベントのカレントロケーション要求の処理を終了させるステップと、
Ｃ．  ＬＣＳシステムは対象ＵＥを位置決めし、次いで対象ＵＥのロケーション推定情報を備えたＬＣＳのエリアイベントの報告をＬＣＳクライアントに送信するステップとを含む方法。
【請求項２】
上記ステップＢは、
ＬＣＳシステムにおけるＣＮは、ＬＣＳのエリアイベントの報告を受信した後、対象ＵＥによって送信されたＬＣＳのエリアイベントの報告に含まれかつ対象ＵＥを位置決めするための指示情報が存在するか否かを決定し、存在していればステップＣを実行し、そうでなければＬＣＳシステムは単にＬＣＳのエリアイベントの報告をＬＣＳクライアントに送信してエリア変更イベントのカレントロケーション要求の処理を終了させることを含み、
上記ステップＣは、
ＬＣＳシステムにおけるＣＮは対象ＵＥを位置決めし、ＬＣＳシステムは、対象ＵＥのロケーション推定情報を備えたＬＣＳのエリアイベントの報告をＬＣＳクライアントに送信することを含む請求項１記載の方法。
【請求項３】
上記ステップＢは、
ＬＣＳシステムにおけるＧＭＬＣは、ＬＣＳのエリアイベントの報告を受信した後、エリア変更イベントのロケーション要求において伝送された指示情報であって対象ＵＥを位置決めするための指示情報がＧＭＬＣ内に格納されているか否かを決定し、格納されていればステップＣを実行し、そうでなければＬＣＳシステムは単にＬＣＳのエリアイベントの報告をＬＣＳクライアントに送信してエリア変更イベントのカレントロケーション要求の処理を終了させることを含み、
上記ステップＣは、
ＬＣＳシステムにおけるＧＭＬＣは対象ＵＥを位置決めし、ＬＣＳシステムは、対象ＵＥのロケーション推定情報を備えたＬＣＳのエリアイベントの報告をＬＣＳクライアントに送信することを含む請求項１記載の方法。
【請求項４】
上記対象ＵＥを位置決めするための指示情報は、
対象ＵＥを位置決めするようにＬＣＳシステムに要求するために使用される位置決め命令である請求項２又は請求項３記載の方法。
【請求項５】
上記対象ＵＥを位置決めするための指示情報は、さらに、
対象ＵＥの要件に対応するサービス品質のパラメータを備える請求項４記載の方法。
【請求項６】
上記ステップＣにおける対象ＵＥを位置決めするＬＣＳシステムは、
上記サービス品質のパラメータに従って対象ＵＥを位置決めするＬＣＳシステムを備える請求項５記載の方法。
【請求項７】
上記対象ＵＥのロケーション推定情報は、
ＬＣＳが対象ＵＥの位置決めに成功した後に取得される対象ＵＥのロケーション推定情報である請求項１、２又は３記載の方法。
【請求項８】
上記対象ＵＥのロケーション推定情報は、
ＬＣＳシステムが対象ＵＥの位置決めに失敗したことを示すエラーコードである請求項１、２又は３記載の方法。
【請求項９】
上記対象ＵＥのロケーション推定情報は、さらに失敗の理由を含む請求項８記載の方法。
【請求項１０】
上記ステップＡにおけるＬＣＳのエリアイベントの報告はさらに、対象ＵＥが位置したエリア到達範囲についての情報を伝送する請求項１記載の方法。
【請求項１１】
上記ステップＡより前に、さらに、
Ａ０１．  ＬＣＳシステムは、ＬＣＳクライアントにより開始された対象ＵＥ向けのエリア変更イベントのロケーション要求を受信するステップと、
Ａ０２．  ＬＣＳシステムは、対象ＵＥにより提供された情報であって対象ＵＥが位置したエリア到達範囲についての情報が、ＬＣＳクライアントにより設定される対象ＵＥを位置決めするための要件に適合し得るか否かを決定し、適合していればステップＡ０３を実行し、そうでなければステップＡを実行するステップと、
Ａ０３．  ＬＣＳシステムは、情報命令を備えたエリア変更イベントのロケーション要求を対象ＵＥに送信し、対象ＵＥはエリア変更イベントのロケーション要求を受信した後に上記情報命令を格納し、対象ＵＥは、エリア変更イベントが発生したことを検出すると、対象ＵＥが位置したエリア到達範囲についての情報を備えたＬＣＳのエリアイベントの報告をＬＣＳシステムに返信し、ＬＣＳシステムは、対象ＵＥが位置したエリア到達範囲についての情報を備えたこのＬＣＳのエリアイベントの報告をＬＣＳクライアントに転送して、エリア変更イベントのロケーション要求に対する現在のプロセスを終了させるステップとを含む請求項１記載の方法。
【請求項１２】
対象ＵＥにより提供された情報であって対象ＵＥが位置したエリア到達範囲についての情報がＬＣＳクライアントにより設定される対象ＵＥを位置決めするための要件に適合し得るか否かを決定することは、
対象ＵＥにより提供された情報であって対象ＵＥが位置したエリア到達範囲についての情報が、エリア変更イベントのロケーション要求において伝送されたサービス品質のパラメータ要件に適合し得るか否かを決定することを含む請求項１１記載の方法。
【請求項１３】
上記ステップＡ０２より前に、さらに、
ＬＣＳシステムは、対象ＵＥのロケーション推定情報をＬＣＳクライアントに提供するか否かを決定し、提供するのであればステップＡ０２を実行し、そうでなければ、ＬＣＳシステムは対象ＵＥにエリア変更イベントのロケーション要求を送信し、対象ＵＥは、エリア変更イベントのロケーション要求を受信してエリア変更イベントが発生したことを検出した後、ＬＣＳシステムにＬＣＳのエリアイベントの報告を返信し、ＬＣＳシステムはＬＣＳクライアントにこのＬＣＳのエリアイベントの報告を転送してエリア変更イベントのロケーション要求に対する現在のプロセスを終了させることを含む請求項１１記載の方法。
【請求項１４】
上記対象ＵＥのロケーション推定情報をＬＣＳクライアントに提供するか否かを決定することは、
対象ＵＥにより報告されたＬＣＳのエリアイベントの報告が、対象ＵＥを位置決めするための指示情報を伝送しているか否かを決定することを含む請求項１又は１３記載の方法。
【請求項１５】
上記対象ＵＥのロケーション推定情報をＬＣＳクライアントに提供するか否かを決定することは、
ＬＣＳシステム自体が、エリア変更イベントのロケーション要求において伝送された指示情報であって対象ＵＥを位置決めするための指示情報を格納しているか否かを決定することを含む請求項１又は１３記載の方法。
【発明の詳細な説明】
【技術分野】
【０００１】
本発明は位置決め技術に関し、より特定的には、エリア変更イベントのロケーション（位置情報）要求を処理するための方法に関する。
【背景技術】
【０００２】
移動通信ネットワークの位置情報サービス（ＬＣＳ：Location Service）では、対象（目標）ユーザ機器（ＵＥ）のロケーション情報は位置決め技術によって取得される。ここで、ＵＥとは、移動通信ネットワーク内に位置決めされるＵＥ端末を示し、ロケーション情報は、地理的な緯度及び経度情報であるか、又はある場所の道路に係るロケーションであるかのいずれかである可能性がある。ＬＣＳシステムにより取得される対象ＵＥのロケーション推定情報は、対象ＵＥの自己位置決定のためにその対象ＵＥへ提供される場合もあれば、通信システム自体のゾーン変更又は動作保守のために提供される場合もあり、またそのロケーション情報は、補足サービスのために、組織や個人等の対象ＵＥのロケーションを要求する他のクライアントアプリケーション端末に提供される場合もある。従って、位置情報サービスには、緊急救助、車両誘導、インテリジェント交通システム、作業のディスパッチ処理、チーム管理、モバイルイエローページ照会、及びネットワーク性能の強化などに関して、広範なアプリケーションがある。第３世代パートナーシッププロジェクト（３ＧＰＰ）には、ＬＣＳシステム全体のＬＣＳ仕様ならびに機能モード、構成、状態記述及びメッセージフローが説明されている。
【０００３】
図１は、位置情報サービスの論理構造を示す概略図である。図１に示すように、ＬＣＳクライアント１０１は、ＬＣＳシステムを含むネットワーク１０２に、対象ＵＥ１０３のロケーション推定情報を提供するように要求し、ＬＣＳシステムを含むネットワーク１０２は、ＬＣＳクライアント１０１の正当性（合法性）認証をチェックして、対象ＵＥ１０３がこのＬＣＳクライアント１０１によるそのロケーション情報の要求を許可するか否かを決定する。ＬＣＳクライアント１０１が、ＬＣＳシステムを含むネットワーク１０２による正当性認証チェックに合格すれば、ＬＣＳシステムを含むネットワーク１０２は対象ＵＥ１０３の位置決めを行って対象ＵＥ１０３のロケーション推定情報をＬＣＳクライアント１０１へ提供し、そうでなければ、ＬＣＳシステムを含むネットワーク１０２はＬＣＳクライアント１０１による対象ＵＥ１０３へのロケーション情報の要求を拒否する。
【０００４】
ＬＣＳシステムにおいて、位置情報サービスを実装するための機能論理エンティティには、ゲートウェイモバイルロケーションセンタ（ＧＭＬＣ）、ユーザデータストレージサーバ（ＨＬＲ／ＨＳＳ）、中央ネットワーク（ＣＮ）及び無線アクセスネットワーク（ＲＡＮ）が含まれる。ＧＭＬＣはさらに、要求側ＧＭＬＣ（Ｒ−ＧＭＬＣ：Requesting GMLC）、ホームＧＭＬＣ（Ｈ−ＧＭＬＣ：Home GMLC）、及び訪問される側のＧＭＬＣ（Ｖ−ＧＭＬＣ：Visited GMLC）を含む可能性がある。Ｒ−ＧＭＬＣは、ＬＣＳクライアントにより対象ＵＥ向けに開始されるロケーション情報要求を受信するためのＧＭＬＣであり、Ｈ−ＧＭＬＣは、対象ＵＥが帰属するＧＭＬＣであり、Ｖ−ＧＭＬＣは、対象ＵＥが訪れるＬＣＳシステムを含むネットワーク内のＧＭＬＣ、すなわち対象ＵＥが現在位置しているＧＭＬＣである。Ｒ−ＧＭＬＣ、Ｈ−ＧＭＬＣ及びＶ−ＧＭＬＣは同じ物理的エンティティである場合もあれば、異なる物理的エンティティである場合もある。
【０００５】
現在のところ、エリア変更イベントのロケーション要求は３ＧＰＰの仕様書で定義され、その手順も定義されている。エリア変更イベントのロケーション要求とは、ＬＣＳクライアントが、対象エリアの到達範囲（カバレージ）を予め指定し、また、指定されたエリア到達範囲への対象ＵＥの進入、離脱又は存在や、ＬＣＳクライアントへのＬＣＳのエリアイベントの報告の配信などの、ＬＣＳのエリアイベントの報告の配信をトリガーするイベントを予め指定し、ＬＣＳシステムが、指定された対象エリア到達範囲及びエリア変更イベント等の情報を対象ＵＥへ送信し、次に対象ＵＥが、指定された対象エリア到達範囲及びエリア変更イベント等の情報を格納するとともに、指定されたエリア到達範囲への対象ＵＥの進入、離脱又は存在などのエリア変更イベントを対応するアプリケーションプログラムが検出したときに当該アプリケーションプログラムを開始させ、ＬＣＳクライアントが、ＬＣＳのエリアイベントの報告をＬＣＳシステムへ配信し、ＬＣＳシステムが、このＬＣＳのエリアイベントの報告を対応するＬＣＳクライアントへ転送して、指定されたエリア変更イベントが発生したと対応するＬＣＳクライアントに通知することを意味する。さらに、ＬＣＳクライアントは、ＬＣＳのエリアイベントの報告の配信回数を報告するように、例えば、ＬＣＳのエリアイベントの報告を一度だけ配信するか、又は指定された時間範囲内に上記報告を周期的に配信するかを報告するように対象ＵＥに指定することもできる。要するに、エリア変更イベントのロケーション要求を利用することにより、ＬＣＳクライアントは、都合のよいことには、位置情報サービスが追跡及びモニタリングの分野に広く適用され得るように、例えば児童の追跡やペットの追跡などのいくつかのロケーション追跡及びモニタリングサービスを画成することができる。
【０００６】
エリア変更イベントのロケーション要求のプロセスは、対象ＵＥが現在位置しているＧＭＬＣ及びＣＮと、指定された対象エリアの範囲をカバーするＧＭＬＣ及びＣＮとに関連するので、対象ＵＥが現在位置しているＧＭＬＣ及びＣＮと、指定された対象エリアの範囲をカバーするＧＭＬＣ及びＣＮとは、エリア変更イベントのロケーション要求のプロセスをサポートすることが要求される。
【０００７】
図２は、エリア変更イベントのロケーション要求手順を示すメッセージインタラクションの図である。図２に示すように、エリア変更イベントのロケーション要求手順のメッセージインタラクションは下記のステップを含む。
【０００８】
ステップ２０１：ＬＣＳクライアントはＲ−ＧＭＬＣへＬＣＳサービス要求（LCS Service Request）を送信する。ここで、ＬＣＳサービス要求は、対象ＵＥ識別子と、指定された対象エリア到達範囲と、エリア変更イベントとを伝送し、エリア変更イベントは、指定されたエリア到達範囲への対象ＵＥの進入、離脱又は存在であってもよく、またＬＣＳのエリアイベントの報告の配信であってもよい。このＬＣＳサービス要求はまた、開始時刻又は終了時刻のようなＬＣＳサービス要求の有効な時間範囲を伝送することや、ＬＣＳサービス要求がＬＣＳのエリアイベントの報告の配信を希望する回数を伝送することも可能であり、ＬＣＳのエリアイベントの報告を複数回配信することが要求されれば、このＬＣＳサービス要求はさらに、ＬＣＳのエリアイベントの報告を周期的に配信するための時間間隔を伝送することになる。さらにこのＬＣＳサービス要求は、指定された対象エリア到達範囲が属する国の国コードも伝送する。このＬＣＳサービス要求が、上述したエリア変更イベントのロケーション要求である。
【０００９】
ステップ２０２：Ｒ−ＧＭＬＣは、ＬＣＳサービス要求を受信した後、このＬＣＳサービス要求をＨ−ＧＭＬＣへ転送し、次いでＨ−ＧＭＬＣは、対象ＵＥのロケーション情報をこのＬＣＳクライアント向けに提供するというこのＬＣＳサービス要求が対象ＵＥにより許可されるか否かを決定するように、ＬＣＳクライアントの正当性認証をチェックする。ＬＣＳクライアントが正当に認証されれば、Ｈ−ＧＭＬＣは、対象ＵＥが位置したＶ−ＧＭＬＣへＬＣＳサービス要求を送信する。正当に認証されなければ、Ｈ−ＧＭＬＣはＲ−ＧＭＬＣへ認証失敗の肯定応答を送信して、対象ＵＥに関してＬＣＳクライアントより送信されるエリア変更イベントのロケーション要求を拒否するようにＲ−ＧＭＬＣへ通知し、Ｒ−ＧＭＬＣは、ＬＣＳクライアントに対して、このＬＣＳクライアントにより開始されるエリア変更イベントのロケーション要求が拒否されたことを通知し、エリア変更イベントのロケーション要求手順が終了する。
【００１０】
ステップ２０３：Ｖ−ＧＭＬＣは、ＬＣＳサービス要求を受信した後、このＬＣＳサービス要求において伝送されかつ指定された対象エリア到達範囲を、ＰＬＭＮネットワークによって識別され得るエリア識別子に変換し、加入者ロケーションの提供（Provide Subscriber Location）をＣＮへ送信する。ここで、この加入者ロケーションの提供は、対象ＵＥの識別子と、ＰＬＭＮネットワークの地理的フォーマットに変換された指定された対象エリア到達範囲と、ＬＣＳのエリアイベントの報告の配信をトリガーするイベントとを伝送する。ＬＣＳサービス要求において伝送された情報に応じて、この加入者ロケーションの提供は、ＬＣＳのエリアイベントの報告の配信回数を伝送してもよく、ＬＣＳのエリアイベントの報告を複数回配信する必要があれば、この加入者ロケーションの提供は、ＬＣＳのエリアイベントの報告を周期的に配信するための時間間隔を伝送することになる。
【００１１】
ステップ２０４：対象ＵＥがアイドルモードにあることを検出すると、ＣＮは対象ＵＥへ向けたページングを開始し、対象ＵＥの正当性認証をチェックして符号化を行い、この対象ＵＥが正当なネットワーク加入者であるか否かをチェックする。さらに、対象ＵＥが現在所属しているＣＮは、プライベートチェック通知を対象ＵＥへ送信して、そのロケーション情報を要求するＬＣＳクライアントが存在することを対象ＵＥへ通知することが可能であり、次いで対象ＵＥは、この対象ＵＥのロケーション情報をＬＣＳシステムが上記ＬＣＳクライアントに提供することを許可するか否かを、それ自体で個別的にチェックする。
【００１２】
ステップ２０５乃至ステップ２０６：ＣＮはＲＡＮを介して対象ＵＥへロケーションエリアイベントの呼び出し要求（Location Area Event Invoke）を送信する。ここで、このロケーションエリアイベントの呼び出し要求によって伝送される情報は、ＬＣＳサービス要求によって伝送されるものに対応する。対象ＵＥは、ロケーションエリアイベントの呼び出しを受信した後、指定された対象エリア到達範囲及びエリア変更イベントを格納する。このロケーションエリアイベントの呼び出しが、ＬＣＳのエリアイベントの報告を複数回配信することを要求している場合には、対象ＵＥはさらに、ＬＣＳのエリアイベントの報告を周期的に配信する時間間隔を格納する必要がある。その後、対象ＵＥは、それ自体の関連アプリケーションプログラムを開始させ、エリア変更イベントの発生をモニタリングする。対象ＵＥは、ロケーションエリアイベントの呼び出しに対する肯定応答（Location Area Event Invoke Ack）をＣＮへ返信することで、カレントロケーション情報の要求が受諾されて適宜処理されていることをＣＮへ通知する。
【００１３】
ステップ２０７乃至ステップ２１０：ＣＮは、ロケーションエリアイベントの呼び出しに対する肯定応答を受信した後、カレントロケーション情報要求が受諾されていることをＶ−ＧＭＬＣへ通知するために、加入者ロケーションの提供に対する肯定応答（Provide Subscriber Location Ack）をＶ−ＧＭＬＣへ送信する。Ｖ−ＧＭＬＣは、加入者ロケーションの提供に対する肯定応答を受信した後、ＬＣＳサービス応答（LCS Service Response）をＨ−ＧＭＬＣへ送信し、カレントロケーション情報要求が受諾されていることをＨ−ＧＭＬＣに通知する。Ｈ−ＧＭＬＣは、ＬＣＳサービス応答を受信した後、ＬＣＳサービス応答をＲ−ＧＭＬＣへ送信し、カレントロケーション情報要求が受諾されていることをＲ−ＧＭＬＣに通知する。Ｒ−ＧＭＬＣは、ＬＣＳサービス応答を受信した後、ＬＣＳサービス応答をＬＣＳクライアントへ送信し、カレントロケーション情報要求が受諾されていることをＬＣＳクライアントに通知する。
【００１４】
ステップ２１１乃至ステップ２１２：エリア変更イベントが発生したとき、すなわち対象ＵＥが指定された対象エリア到達範囲に進入するか、そこから離脱するか、又はそこに位置しているときに、対象ＵＥは、ＲＡＮを介してＣＮにＬＣＳのエリアイベントの報告（Location Area Event Report）を送信し、エリア変更イベントが発生したことをＣＮに通知する。
【００１５】
ステップ２１３乃至ステップ２１４：ＣＮは、ＬＣＳのエリアイベントの報告を受信した後、加入者ロケーションの報告（Subscriber Location Report）をＶ−ＧＭＬＣに送信し、対象ＵＥのエリア変更イベントが発生したことをＶ−ＧＭＬＣに通知する。Ｖ−ＧＭＬＣは、加入者ロケーションの報告を受信した後、加入者ロケーションの報告に対する肯定応答（Subscriber Location Report Ack）をＣＮに送信し、対象ＵＥの加入者ロケーションの報告が受信されたことをＣＮに通知する。この時点でＣＮは、カレントロケーション情報要求に応答して呼の詳細記録を生成することができる。
【００１６】
ステップ２１５乃至ステップ２１８：加入者ロケーションの報告に対する肯定応答をＣＮに送信した後、Ｖ−ＧＭＬＣはＨ−ＧＭＬＣにＬＣＳサービス応答を送信し、対象ＵＥのエリア変更イベントが発生したことをＨ−ＧＭＬＣに通知する。Ｈ−ＧＭＬＣは、ＬＣＳサービス応答を受信した後、ＬＣＳクライアントへ提供されるロケーション情報がＬＣＳクライアントの認証の範囲内にあることを保証するためにＬＣＳクライアントの正当性認証をチェックする。ＬＣＳクライアントがＨ−ＧＭＬＣによるこの認証に合格すれば、Ｈ−ＧＭＬＣはＲ−ＧＭＬＣにＬＣＳサービス応答を送信し、対象ＵＥのエリア変更イベントが発生したことをＲ−ＧＭＬＣに通知する。Ｒ−ＧＭＬＣは、ＬＣＳサービス応答を受信した後、ＬＣＳクライアントにＬＣＳサービス応答を送信し、対象ＵＥのエリア変更イベントが発生したことをＬＣＳクライアントに通知する。
【００１７】
上記ステップ２１１乃至ステップ２１８におけるＶ−ＧＭＬＣは、対象ＵＥが現在位置しているＧＭＬＣであって、指定された対象エリア到達範囲をカバーすることが可能であり、上記の例では、このＶ−ＧＭＬＣはステップ２０２乃至ステップ２１０におけるＶ−ＧＭＬＣと同じＧＭＬＣである場合もあれば、異なるＧＭＬＣである場合もある。同様に、上記ステップ２１１乃至ステップ２１８におけるＣＮは、対象ＵＥが現在位置しているＣＮであって、指定された対象エリア到達範囲をカバーすることが可能であり、上記の例では、このＣＮはステップ２０２乃至ステップ２１０におけるＣＮと同じである場合もあれば、異なる場合もある。
【００１８】
ＬＣＳのエリアイベントの報告の周期的配信の時間間隔及びＬＣＳのエリアイベントの報告の配信回数が、エリア変更イベントのロケーション要求において伝送される場合、対象ＵＥによりＣＮに報告されるＬＣＳのエリアイベントの報告を配信する際の時間間隔は、エリア変更イベントのロケーション要求において設定されるＬＣＳのエリアイベントの報告を配信する際の時間間隔より短いものであってはならず、ＬＣＳのエリアイベントの報告を配信する合計回数は、エリア変更イベントのロケーション要求において設定される回数を超えるものであってはならない。ここで、ＬＣＳのエリアイベントの報告を配信する各手順は、概略的にはステップ２１１乃至ステップ２１８のそれと同じである。
【００１９】
３ＧＰＰに定義されたエリア変更イベントのロケーション要求に関する上述のプロセスによれば、エリア変更イベントが発生したことを対象ＵＥが検出した後、ＬＣＳシステムは対象ＵＥのＬＣＳのエリアイベントの報告をＬＣＳクライアントに提供できるだけであるということが分かる。この場合、ＬＣＳのエリアイベントの報告は、対象ＵＥが指定された対象エリア到達範囲に進入するか、そこから離脱するか、又はそこに位置していることのみをＬＣＳクライアントに通知できるだけであり、ＬＣＳクライアントが、対象ＵＥのＬＣＳのエリアイベントの報告を取得するだけでなく対象ＵＥの詳細なロケーション推定情報を取得することを要求したとしても、上述のプロセスはＬＣＳクライアントのこのような要望を満足させることができず、ＬＣＳクライアントは対象ＵＥの詳細なロケーション推定情報を全く取得することができない。
【発明の開示】
【発明が解決しようとする課題】
【００２０】
従って、本発明の主たる目的は、位置情報サービスシステムが対象ユーザ機器（ＵＥ）のＬＣＳのエリアイベントの報告をＬＣＳクライアントに提供できるだけでなく、ＬＣＳクライアントの要望に従って対象ＵＥの詳細なロケーション推定情報をさらにＬＣＳクライアントに提供できるように、エリア変更イベントのロケーション要求を処理するための方法を提供することにある。
【課題を解決するための手段】
【００２１】
上述の目的を達成するために、本発明ではエリア変更イベントのロケーション要求を処理するための方法が提供され、本方法は、
Ａ．  ＬＣＳシステムはエリア変更イベントのロケーション要求を対象ＵＥに送信し、対象ＵＥは、エリア変更イベントのロケーション要求を受信してエリア変更イベントが発生したことを検出した後、ＬＣＳのエリアイベントの報告をＬＣＳシステムに返信するステップと、
Ｂ．  ＬＣＳシステムは、ＬＣＳのエリアイベントの報告を受信した後、対象ＵＥのロケーション推定情報をＬＣＳクライアントに提供するか否かを決定し、提供するのであればステップＣを実行し、そうでなければＬＣＳシステムは単にＬＣＳのエリアイベントの報告をＬＣＳクライアントに送信してエリア変更イベントのカレントロケーション要求の処理を終了させるステップと、
Ｃ．  ＬＣＳシステムは対象ＵＥを位置決めし、次いで対象ＵＥのロケーション推定情報を備えたＬＣＳのエリアイベントの報告をＬＣＳクライアントに送信するステップとを含む。
【００２２】
ここで、上記ステップＢは、
ＬＣＳシステムにおけるＣＮは、ＬＣＳのエリアイベントの報告を受信した後、対象ＵＥによって送信されたＬＣＳのエリアイベントの報告の中に対象ＵＥを位置決めするための指示情報が存在するか否かを決定し、存在していればステップＣを実行し、そうでなければ、ＬＣＳシステムは単にＬＣＳのエリアイベントの報告をＬＣＳクライアントに送信してエリア変更イベントのカレントロケーション要求の処理を終了させることを含み、
上記ステップＣは、
ＬＣＳシステムにおけるＣＮは対象ＵＥを位置決めし、ＬＣＳシステムは、対象ＵＥのロケーション推定情報を備えたＬＣＳのエリアイベントの報告をＬＣＳクライアントに送信することを含む。
【００２３】
ここで、上記ステップＢは、
ＬＣＳシステムにおけるＧＭＬＣは、ＬＣＳのエリアイベントの報告を受信した後、エリア変更イベントのロケーション要求において伝送された指示情報であって対象ＵＥを位置決めするための指示情報がＧＭＬＣ内に格納されているか否かを決定し、格納されていればステップＣを実行し、そうでなければ、ＬＣＳシステムは単にＬＣＳのエリアイベントの報告をＬＣＳクライアントに送信してエリア変更イベントのカレントロケーション要求の処理を終了させることを含み、
上記ステップＣは、
ＬＣＳシステムにおけるＧＭＬＣは対象ＵＥを位置決めし、ＬＣＳシステムは、対象ＵＥのロケーション推定情報を備えたＬＣＳのエリアイベントの報告をＬＣＳクライアントに送信することを含む。
【００２４】
ここで、上記対象ＵＥを位置決めするための指示情報は、
対象ＵＥを位置決めするようにＬＣＳシステムに要求するために使用される位置決め命令である。
【００２５】
ここで、上記対象ＵＥを位置決めするための指示情報は、さらに、
対象ＵＥの要件に対応するサービス品質のパラメータを備える。
【００２６】
ここで、上記ステップＣにおける対象ＵＥを位置決めするＬＣＳシステムは、
上記サービス品質のパラメータに従って対象ＵＥを位置決めするＬＣＳシステムを備える。
【００２７】
ここで、上記対象ＵＥのロケーション推定情報は、
ＬＣＳが対象ＵＥの位置決めに成功した後に取得される対象ＵＥのロケーション推定情報である。
【００２８】
ここで、上記対象ＵＥのロケーション推定情報は、
ＬＣＳシステムが対象ＵＥの位置決めに失敗したことを示すエラーコードである。
【００２９】
ここで、上記対象ＵＥのロケーション推定情報は、失敗の理由をさらに含む。
【００３０】
ここで、上記ステップＡにおけるＬＣＳのエリアイベントの報告は、さらに、対象ＵＥが位置決めされるエリア到達範囲の情報を伝送する。
【００３１】
ここで、上記ステップＡより前に、さらに、
Ａ０１．  ＬＣＳシステムは、ＬＣＳクライアントにより開始された対象ＵＥ向けのエリア変更イベントのロケーション要求を受信するステップと、
Ａ０２．  ＬＣＳシステムは、対象ＵＥにより提供された情報であって対象ＵＥが位置したエリア到達範囲についての情報が、ＬＣＳクライアントにより設定される対象ＵＥを位置決めするための要件に適合し得るか否かを決定し、適合していればステップＡ０３を実行し、そうでなければステップＡを実行するステップと、
Ａ０３．  ＬＣＳシステムは、情報命令を備えたエリア変更イベントのロケーション要求を対象ＵＥに送信し、対象ＵＥはエリア変更イベントのロケーション要求を受信した後に上記情報命令を格納し、対象ＵＥは、エリア変更イベントが発生したことを検出したとき、対象ＵＥが位置したエリア到達範囲の情報を備えたＬＣＳのエリアイベントの報告をＬＣＳシステムに返信し、ＬＣＳシステムは、対象ＵＥが位置したエリア到達範囲の情報を備えたこのＬＣＳのエリアイベントの報告をＬＣＳクライアントに転送して、エリア変更イベントのロケーション要求に対する現在のプロセスを終了させるステップとが含まれる。
【００３２】
ここで、上述した、対象ＵＥにより提供された情報であって対象ＵＥが位置したエリア到達範囲についての情報が、ＬＣＳクライアントにより設定される対象ＵＥを位置決めするための要件に適合し得るか否かを決定することは、
対象ＵＥにより提供された情報であって対象ＵＥが位置したエリア到達範囲についての情報が、エリア変更イベントのロケーション要求において伝送される品質パラメータ要件に適合し得るか否かを決定することを含む。
【００３３】
ここで、上記ステップＡ０２より前に、さらに、
ＬＣＳシステムは、対象ＵＥのロケーション推定情報をＬＣＳクライアントに提供するか否かを決定し、提供するのであればステップＡ０２を実行し、そうでなければ、ＬＣＳシステムは対象ＵＥにエリア変更イベントのロケーション要求を送信し、対象ＵＥは、エリア変更イベントのロケーション要求を受信してエリア変更イベントが発生したことを検出した後、ＬＣＳシステムにＬＣＳのエリアイベントの報告を返信し、ＬＣＳシステムは、ＬＣＳクライアントにこのＬＣＳのエリアイベントの報告を転送して、エリア変更イベントのロケーション要求に対する現在のプロセスを終了させることが含まれる。
【００３４】
ここで、上述した、対象ＵＥのロケーション推定情報をＬＣＳクライアントに提供するか否かを決定することは、
対象ＵＥにより報告されるＬＣＳのエリアイベントの報告が、対象ＵＥを位置決めするための指示情報を伝送しているか否かを決定することを含む。
【００３５】
ここで、上述した、対象ＵＥのロケーション推定情報をＬＣＳクライアントに提供するか否かを決定することは、
エリア変更イベントのロケーション要求において伝送された指示情報であって対象ＵＥを位置決めするための指示情報をＬＣＳシステム自体が格納しているか否かを決定することを含む。
【発明の効果】
【００３６】
本発明において提供される方法によれば、ＬＣＳクライアントは、位置決め命令を備えたエリア変更イベントのロケーション要求を対象ＵＥに送信して、ＬＣＳのエリアイベントの報告をＬＣＳクライアントに送信するとともに対象ＵＥのロケーション推定情報を提供するようにＬＣＳシステムに要求し、よってＬＣＳシステムは、対象ＵＥのＬＣＳのエリアイベントの報告をＬＣＳクライアントに提供するとともに、さらにＬＣＳクライアントの要望により対象ＵＥの特定のロケーション推定情報を提供することが可能であり、結果的にＬＣＳクライアントは、対象ＵＥのトリガーロケーション報告イベントの発生を知ることができるだけでなく、対象ＵＥの特定のロケーション推定情報を取得することもできる。さらに、本発明では、柔軟に選択できる複数の実施形態が提供される。
【発明を実施するための最良の形態】
【００３７】
以下、添付の図面を参照して本発明を詳細に説明する。
【００３８】
本発明において、ＬＣＳクライアントはエリア変更イベントのロケーション要求をＬＣＳシステムに送信し、その要求は、対象ＵＥのロケーション推定情報をＬＣＳシステムが提供するように要求する位置決め命令をさらに伝送し、エリア変更イベントが発生したことを対象ＵＥが検出すると、対象ＵＥがＬＣＳシステムにＬＣＳのエリアイベントの報告を返信した後、ＬＣＳシステムは、エリア変更イベントのロケーション要求が位置決め命令を伝送しているか否かを決定することによって、エリア変更イベントのロケーション要求に対する後続のプロセスを実行する。
【００３９】
図３は、本発明におけるエリア変更イベントのロケーション要求のプロセスを示すフローチャートである。図３に示すように、エリア変更イベントのロケーション要求のプロセスは下記のステップを含む。
【００４０】
ステップ３０１乃至ステップ３０３：ＬＣＳクライアントはＬＣＳシステムにエリア変更イベントのロケーション要求を送信し、ＬＣＳシステムは、エリア変更イベントのロケーション要求を受信した後、対象ＵＥにエリア変更イベントのロケーション要求を送信し、対象ＵＥは、エリア変更イベントのロケーション要求を受信した後、エリア変更イベントのロケーション要求において伝送されたエリア変更イベントを格納する。対象ＵＥは、エリア変更イベントの発生を検出したとき、ＬＣＳシステムにＬＣＳのエリアイベントの報告を返信する。
【００４１】
ステップ３０４：ＬＣＳシステムは、ＬＣＳのエリアイベントの報告を受信した後、対象ＵＥのロケーション推定情報をＬＣＳクライアントに提供するか否かを決定する、すなわちエリア変更イベントのロケーション要求が位置決め命令を伝送しているか否かを決定し、伝送していればステップ３０５を実行し、そうでなければステップ３０７を実行する。
【００４２】
ステップ３０５乃至ステップ３０６：ＬＣＳシステムは対象ＵＥを位置決めし、次いで対象ＵＥのロケーション推定情報を備えたＬＣＳのエリアイベントの報告をＬＣＳクライアントに送信して、エリア変更イベントのロケーション要求に対するプロセスを終了させる。ＬＣＳシステムが対象ＵＥの位置決めに成功すれば、ＬＣＳシステムは対象ＵＥのロケーション推定情報を備えたＬＣＳのエリアイベントの報告を送信し、ＬＣＳシステムが対象ＵＥの位置決めに失敗すれば、ＬＣＳシステムは失敗の理由を備えたＬＣＳのエリアイベントの報告を送信する。
【００４３】
ステップ３０７：ＬＣＳシステムは、ＬＣＳのエリアイベントの報告を受信した後、ＬＣＳクライアントにこのＬＣＳのエリアイベントの報告を送信する。
【００４４】
ＬＣＳシステムが対象ＵＥのＬＣＳのエリアイベントの報告を受信した後では、対象ＵＥのロケーション推定情報をＬＣＳクライアントに提供するか否かを決定するための２つの方法が存在する。その一方は、エリア変更イベントのロケーション要求において伝送された位置決め命令を対象ＵＥが格納するという方法であり、もう一方は、エリア変更イベントのロケーション要求において伝送された位置決め命令をＬＣＳシステムが格納するという方法である。
【００４５】
対象ＵＥは、エリア変更イベントのロケーション要求において伝送された位置決め命令を格納する。このことは、ＬＣＳシステムが、ＬＣＳクライアントにより送信されるエリア変更イベントのロケーション要求における全内容を、格納のために対象ＵＥへ送信することを意味する。対象ＵＥは、エリア変更イベントが発生したことを検出すると、ＬＣＳシステムにＬＣＳのエリアイベントの報告を返信し、格納されたエリア変更イベントのロケーション要求の関連情報に従って、対象ＵＥは、このＬＣＳのエリアイベントの報告がＬＣＳクライアントからの位置決め命令を伝送していると決定し、次いでＬＣＳシステムは、ＬＣＳのエリアイベントの報告において伝送された位置決め命令に従って対象ＵＥを位置決めし、最後に対象ＵＥのロケーション推定情報を備えたＬＣＳのエリアイベントの報告をＬＣＳクライアントに返信する。
【００４６】
ＬＣＳシステムは、エリア変更イベントのロケーション要求において伝送された位置決め命令を格納する。このことは、ＬＣＳシステムが、ＬＣＳクライアントによって送信されたエリア変更イベントのロケーション要求を受信した後、このエリア変更イベントのロケーション要求において伝送された位置決め命令を格納し、次いで、エリア変更イベントのロケーション要求において伝送された位置決め命令以外のエリア変更イベントに関連した他の内容情報を対象ＵＥに送信することを意味する。対象ＵＥは、エリア変更イベントが発生したことを検出すると、ＬＣＳシステムにＬＣＳのエリアイベントの報告を返信し、ＬＣＳシステムは、ＬＣＳのエリアイベントの報告を受信した後、それ自体で格納しているエリア変更イベントのロケーション要求の関連情報に従ってＬＣＳクライアントに対象ＵＥのロケーション推定情報を提供すると決定し、次いでＬＣＳシステムは対象ＵＥを位置決めし、最後に、対象ＵＥのロケーション推定情報を備えたＬＣＳのエリアイベントの報告をＬＣＳクライアントに返信する。
【００４７】
エリア変更イベントのロケーション要求は、位置決め命令を伝送する一方で、さらに位置決めの精度、誤差の範囲、応答時間などのような、対象ＵＥのロケーション推定情報に関する関連のサービス品質（ＱｏＳ：Quality of Service）パラメータを含むことが可能である。
【００４８】
以下、特定の２つの方法に係る手順について詳細に説明する。
【００４９】
図４は、本発明の一実施形態におけるエリア変更イベントのロケーション要求のメッセージインタラクションを示す図である。図４に示すように、エリア変更イベントのロケーション要求手順のメッセージインタラクションは下記のステップを含む。
【００５０】
ステップ４０１：ＬＣＳクライアントはＲ−ＧＭＬＣにＬＣＳサービス要求を送信する。ここで、このＬＣＳサービス要求は、対象ＵＥの識別子と、指定された対象エリア到達範囲と、エリア変更イベントとを伝送し、これによりエリア変更イベントは、対象ＵＥが指定されたエリア到達範囲に進入するか、そこから離脱するか、又はそこに位置しているとＬＣＳのエリアイベントの報告を報告するようにトリガーするために使用可能である。このＬＣＳサービス要求はまた、ＬＣＳシステムがＬＣＳのエリアイベントの報告をＬＣＳクライアントに送信している間に対象ＵＥのロケーション推定情報を提供するようにＬＣＳシステムに要求する位置決め命令を伝送する。このＬＣＳサービス要求はさらに、ＬＣＳシステムが対象ＵＥのロケーション推定情報を提供するというＬＣＳクライアントの要望を示す、対象ＵＥのロケーション情報に関する関連のＱｏＳパラメータを伝送してもよい。このＬＣＳサービス要求は、開始時刻及び終了時刻等の有効な時間範囲を伝送してもよく、またＬＣＳサービス要求の要望に基づいてＬＣＳのエリアイベントの報告を報告する及び回数を伝送してもよく、ＬＣＳのエリアイベントの報告を複数回報告する必要があれば、このＬＣＳサービス要求は、ＬＣＳのエリアイベントの報告を周期的に報告するための時間間隔を伝送する必要がある。このＬＣＳサービス要求が、エリア変更イベントのロケーション要求そのものである。
【００５１】
ステップ４０２乃至ステップ４０４は本質的にはステップ２０２乃至ステップ２０４と同じであるが、ただしこの場合の各相互作用的なメッセージは位置決め命令を伝送し、各相互作用的なメッセージはさらに、対象ＵＥのロケーション推定情報に関する関連のＱｏＳパラメータを伝送してもよい。
【００５２】
ステップ４０５乃至ステップ４０６：ＣＮは、ＲＡＮを介して対象ＵＥにロケーションエリアイベントの呼び出し要求を送信する。ただし、ロケーションエリアイベントの呼び出しにおいて伝送される情報と、ＬＣＳサービス要求において伝送されるそれとは対応している。対象ＵＥは、ロケーションエリアイベントの呼び出しを受信した後、指定された対象エリア到達範囲／エリア変更イベント及び位置決め命令を格納し、ＬＣＳのエリアイベントの報告を複数回報告することが要求されれば、対象ＵＥはＬＣＳのエリアイベントの報告を周期的に報告するための時間間隔を格納する必要があり、ロケーションエリアイベントの呼び出しが位置決め命令に関する関連のＱｏＳパラメータをさらに伝送していれば、対象ＵＥはそのＱｏＳパラメータを格納する必要もある。次に対象ＵＥは、それ自体の関連アプリケーションプログラムを開始して、エリア変更イベントの発生をモニタリングする。対象ＵＥは、ロケーションエリアイベントの呼び出しに対する肯定応答をＣＮに送信して、エリア変更イベントのカレントロケーション要求が受諾されていて適宜処理されていることをＣＮに通知する。
【００５３】
ステップ４０７乃至ステップ４１０は、本質的には、ステップ２０７乃至ステップ２１０と同じである。
【００５４】
ステップ４１１乃至ステップ４１２：エリア変更イベントが発生したとき、すなわちＵＥが指定されたエリア到達範囲に進入するか、そこから離脱するか、又はそこに位置しているときには、対象ＵＥはＲＡＮを介してＣＮにＬＣＳのエリアイベントの報告を送信する。ここで、ＬＣＳのエリアイベントの報告は、エリア変更イベントが発生したことをＣＮに通知するために、さらにはＣＮがＬＣＳクライアントにＬＣＳのエリアイベントの報告を送信している間に対象ＵＥのロケーション推定情報を提供するようにＣＮに通知するために、位置決め命令を伝送し、またさらにＱｏＳパラメータを伝送してもよい。
【００５５】
ステップ４１３乃至ステップ４１５：ＣＮは、ＬＣＳのエリアイベントの報告を受信した後、ＵＥにより報告されたＬＣＳのエリアイベントの報告において伝送された位置決め命令に従って、ＬＣＳクライアントが当該ＬＣＳクライアントへのＬＣＳのエリアイベントの報告の送信に加えて対象ＵＥのロケーション推定情報が提供されるように望んでいると決定し、よってＣＮは、対象ＵＥを位置決めするためにＲＡＮにロケーション要求を送信する。ここで、このロケーション要求は位置決めオペレーションに関する関連のＱｏＳパラメータを伝送する。ＲＡＮは、ロケーション要求を受信した後、ＱｏＳパラメータの要件に従って対象ＵＥを位置決めし、次いで対象ＵＥのロケーション推定情報を備えたロケーションの報告をＣＮに送信する。ＲＡＮは、対象ＵＥの位置決めに成功すると、対象ＵＥのロケーション推定情報を備えたロケーションの報告をＣＮに送信し、対象ＵＥの位置決めに失敗すると、ＲＡＮは失敗の理由を備えたロケーションの報告をＣＮに送信する。上記失敗の理由は、ＱｏＳパラメータの要件を満たすことができない、などであってよい。
【００５６】
ステップ４１６：ＣＮは、対象ＵＥのロケーション推定情報を備えたロケーションの報告を受信した後、対象ＵＥのロケーション推定情報を備えた対象ＵＥの加入者ロケーションの報告をＶ−ＧＭＬＣに送信し、対象ＵＥのエリア変更イベントが発生したこと及び対象ＵＥが既に位置決めされていることをＶ−ＧＭＬＣに通知する。
【００５７】
ステップ４１７乃至ステップ４２１は本質的にはステップ２１４乃至ステップ２１８と同じであるが、ただしこの場合の各相互作用的なメッセージは対象ＵＥの位置決め命令を伝送する。
【００５８】
上記ステップ４１１乃至ステップ４２１におけるＶ−ＧＭＬＣは、対象ＵＥが現在位置決めされているＧＭＬＣであり、かつ指定された対象エリア到達範囲をカバーすることのできるＧＭＬＣであり、ここでいう上記Ｖ−ＧＭＬＣは、ステップ４０２乃至ステップ４１０におけるＧＭＬＣと同じである場合もあり、又はそうでなければ異なるＧＭＬＣである場合もある。同様に、上記ステップ４１１乃至ステップ４２１におけるＣＮは、対象ＵＥが現在位置決めされているＧＭＬＣであり、かつ指定された対象エリア到達範囲をカバーすることのできるＣＮであり、ここでいう上記ＣＮは、ステップ４０２乃至ステップ４１０におけるＣＮと同じである場合もあり、又はそうでなければ異なるＣＮである場合もある。
【００５９】
図５は、本発明の別の実施形態におけるエリア変更イベントのロケーション要求のメッセージインタラクションを示す図である。図５に示すように、エリア変更イベントのロケーション要求手順のメッセージインタラクションは下記のステップを含む。
【００６０】
ステップ５０１は、本質的には、ステップ４０１と同じである。
【００６１】
ステップ５０２乃至ステップ５０３：Ｒ−ＧＭＬＣは、ＬＣＳサービス要求を受信した後、このＬＣＳサービス要求において伝送された位置決め命令と関連のＱｏＳパラメータとを格納し、次いでＨ−ＧＭＬＣにこのＬＣＳサービス要求を転送する。ここで、Ｈ−ＧＭＬＣは、ＬＣＳシステムがＬＣＳクライアントに対象ＵＥのロケーション推定情報を提供することを対象ＵＥが許可するか否かを決定するために、このＬＣＳクライアントの正当性認証をチェックし、ＬＣＳクライアントが正当性認証のチェックに合格すれば、Ｈ−ＧＭＬＣはＶ−ＧＭＬＣにＬＣＳサービス要求を送信する。ただし、このＬＣＳサービス要求は位置決め命令又は関連のＱｏＳパラメータを伝送しない。合格しなければ、Ｈ−ＧＭＬＣは、正当性認証のチェックに失敗したという応答を返信し、Ｒ−ＧＭＬＣは、対象ＵＥに対するエリア変更イベントのロケーション要求を拒否して、エリア変更イベントのロケーション要求の現在のプロセスを終了させる。
【００６２】
ステップ５０４乃至ステップ５１８は、本質的には、ステップ２０３乃至ステップ２１７と同じである。
【００６３】
ステップ５１９乃至ステップ５２３：Ｒ−ＧＭＬＣは、ＬＣＳサービス要求を受信した後、ＬＣＳサービス要求において伝送されて格納されている位置決め命令に従って、ＬＣＳクライアントが当該ＬＣＳクライアントへのＬＣＳのエリアイベントの報告の送信に加えてＬＣＳシステムによる対象ＵＥのロケーション推定情報の提供を希望していると決定し、よってＲ−ＧＭＬＣは、即時モードのロケーション情報要求、すなわちＬＣＳサービス要求を生成して、Ｈ−ＧＭＬＣにこのＬＣＳサービス要求を送信する。ここで、このＬＣＳサービス要求は、対象ＵＥの識別子とロケーション関連のＱｏＳパラメータとを伝送して、対象ＵＥを位置決めするように要求する。Ｈ−ＧＭＬＣは、ＬＣＳサービス要求を受信した後でさらに、ＬＣＳシステムがＬＣＳクライアントに対象ＵＥのロケーション推定情報を提供することを対象ＵＥが許可するか否かを決定するために、このＬＣＳクライアントの正当性認証をチェックしてもよく、ＬＣＳクライアントが正当性認証のチェックに合格すれば、Ｈ−ＧＭＬＣはＶ−ＧＭＬＣにＬＣＳサービス要求を送信し、Ｖ−ＧＭＬＣは、ＬＣＳサービス要求を受信した後、加入者ロケーションの提供をＣＮに送信する。ここで、加入者ロケーションの提供は、対象ＵＥの識別子とロケーション関連のＱｏＳパラメータとを伝送する。ＣＮは、加入者ロケーションの提供を受信した後、対応するＲＡＮにロケーション要求を送信する。ここで、このロケーション要求は対象ＵＥの識別子とロケーション関連のＱｏＳパラメータとを伝送する。ＲＡＮは、ロケーション要求を受信した後、ＱｏＳパラメータの要件に従って対象ＵＥを位置決めし、次いで対象ＵＥのロケーション推定情報を備えたロケーションの報告をＣＮに送信する。ＲＡＮは、対象ＵＥの位置決めに成功すれば、対象ＵＥのロケーション推定情報を備えたロケーションの報告をＣＮに送信し、対象ＵＥの位置決めに失敗すれば、ＲＡＮは失敗の理由を備えたロケーションの報告をＣＮに送信する。
【００６４】
ステップ５２４乃至ステップ５２９は、本質的には、ステップ４１６乃至ステップ４２１と同じである。
【００６５】
上記ステップ５１１乃至ステップ５２９におけるＶ−ＧＭＬＣは、対象ＵＥが現在位置決めされているＧＭＬＣであって、かつ指定された対象エリア到達範囲をカバーすることのできるＧＭＬＣであり、ここでいう上記Ｖ−ＧＭＬＣは、ステップ５０２乃至ステップ５１０におけるＧＭＬＣと同じである場合もあり、又はそうでなければ異なるＧＭＬＣである場合もある。同様に、上記ステップ５１１乃至ステップ５２９におけるＣＮは、対象ＵＥが現在位置決めされているＣＮであって、かつ指定された対象エリア到達範囲をカバーすることのできるＣＮであり、ここでいう上記ＣＮは、ステップ５０２乃至ステップ５１０におけるＣＮと同じである場合もあり、又はそうでなければ異なるＣＮである場合もある。
【００６６】
上述の手順では、エリア変更イベントのロケーション要求において伝送された位置決め命令は、Ｈ−ＧＭＬＣに格納されることの可能であり、この場合Ｈ−ＧＭＬＣが対象ＵＥを位置決めする。
【００６７】
上述の手順では、ＬＣＳクライアントによりＬＣＳシステムに送信されるエリア変更イベントのロケーション要求は、位置決め命令を伝送しなくてもよく、対象ＵＥは、ＬＣＳのエリアイベントの報告を報告するとともに、それ自体の情報の提供、例えば対象ＵＥが位置したエリア到達範囲についての情報等の提供をさらに行い、ＬＣＳシステムは、ＬＣＳクライアントにＬＣＳのエリアイベントの報告を送信するとともに、ＬＣＳクライアントに対象ＵＥからの情報を提供する。
【００６８】
対象ＵＥは、セルＩＤやロケーションエリアなどの、当該対象ＵＥが位置したエリア到達範囲についての何らかの情報を取得できるので、ＬＣＳクライアントは、ＬＣＳのエリアイベントの報告を送信するとともに、対象ＵＥのロケーション推定情報を提供することを対象ＵＥに要求し、このようにして、ＬＣＳシステムは、対象ＵＥにより取得される情報であって対象ＵＥが位置したエリア到達範囲についての情報が、ＬＣＳクライアントにより希望されるサービス品質の要件を満足させることができるか否かを予め判断することが可能である。満足させることができれば、ＬＣＳシステムは、ＬＣＳのエリアイベントの報告を報告することに加えて、対象ＵＥが位置したエリア到達範囲についての情報を提供するように当該対象ＵＥに要求することが可能であり、よってＬＣＳシステムは、ＬＣＳクライアントにＬＣＳのエリアイベントの報告を送信しながら、対象ＵＥが位置したエリア到達範囲についての情報をＬＣＳクライアントに提供することも行う。満足させることができなければ、ＬＣＳシステムは上述の２つの方法のうちの任意の処理方法を選択することができる。
【００６９】
図６は、本発明のエリア変更イベントのロケーション要求に係る別のプロセスを示すフローチャートである。図６に示すように、エリア変更イベントのロケーション要求手順のメッセージインタラクションは下記のステップを含む。
【００７０】
ステップ６０１乃至ステップ６０２：ＬＣＳクライアントはＬＣＳシステムにエリア変更イベントのロケーション要求を送信する。ＬＣＳシステムは、エリア変更イベントのロケーション要求を受信した後、対象ＵＥのロケーション推定情報をＬＣＳクライアントに提供するか否かを決定する、すなわちＬＣＳクライアントにより対象ＵＥに向けて開始されるエリア変更イベントのロケーション要求が位置決め命令を伝送しているか否かを決定し、伝送していればステップ６０３を実行し、そうでなければステップ６１２を実行する。
【００７１】
ステップ６０３：ＬＣＳシステムは、対象ＵＥにより提供される情報であって対象ＵＥが位置したエリア到達範囲についての情報が、ＬＣＳクライアントの位置決め要件を満たすことができるか否かを決定し、満たすことができればステップ６０４を実行し、そうでなければステップ６０７を実行する。
【００７２】
ステップ６０４乃至ステップ６０６：ＬＣＳシステムは、位置決め命令を備えたエリア変更イベントのロケーション要求を対象ＵＥに送信する。対象ＵＥは、エリア変更イベントのロケーション要求を受信した後、エリア変更イベントのロケーション要求において伝送されたエリア変更イベント及び情報指示を格納する。対象ＵＥは、エリア変更イベントの発生を検出すると、それ自体が位置したエリア到達範囲についての情報を備えたＬＣＳのエリアイベントの報告をＬＣＳシステムに返信し、ＬＣＳシステムは、対象ＵＥが位置したエリア到達範囲についての情報を備えたＬＣＳのエリアイベントの報告をＬＣＳクライアントに送信し、エリア変更イベントのロケーション要求に向けた現在のプロセスを終了させる。
【００７３】
ステップ６０７乃至ステップ６０９：ＬＣＳシステムは、エリア変更イベントのロケーション要求を受信した後、対象ＵＥにこのエリア変更イベントのロケーション要求を送信する。対象ＵＥは、エリア変更イベントのロケーション要求を受信した後、エリア変更イベントのロケーション要求において伝送されたエリア変更イベントを格納する。対象ＵＥは、エリア変更イベントの発生を検出すると、ＬＣＳシステムにＬＣＳのエリアイベントの報告を返信する。ＬＣＳシステムは、ＬＣＳのエリアイベントの報告を受信した後、対象ＵＥのロケーション推定情報をＬＣＳクライアントに提供するか否かを決定する、すなわちＬＣＳクライアントにより対象ＵＥに向けて開始されたエリア変更イベントのロケーション要求が位置決め命令を伝送しているか否かを決定し、伝送していればステップ６１０を実行し、そうでなければステップ６１４を実行する。
【００７４】
ステップ６１０乃至ステップ６１１：ＬＣＳシステムは対象ＵＥを位置決めし、対象ＵＥのロケーション推定情報を備えたＬＣＳのエリアイベントの報告をＬＣＳクライアントに送信し、エリア変更イベントのロケーション要求に対する現在のプロセスを終了させる。ＬＣＳシステムは、対象ＵＥの位置決めに成功すれば、対象ＵＥのロケーション推定情報を備えたＬＣＳのエリアイベントの報告をＬＣＳクライアントに送信し、対象ＵＥの位置決めに失敗すると、ＬＣＳシステムは、失敗の理由を備えたＬＣＳのエリアイベントの報告をＬＣＳクライアントに送信する。
【００７５】
ステップ６１２乃至ステップ６１３：ＬＣＳシステムは、エリア変更イベントのロケーション要求を受信した後、対象ＵＥにこのエリア変更イベントのロケーション要求を送信する。対象ＵＥは、エリア変更イベントのロケーション要求を受信した後、エリア変更イベントのロケーション要求において伝送されたエリア変更イベントを格納する。対象ＵＥは、エリア変更イベントの発生を検出すると、ＬＣＳシステムにＬＣＳのエリアイベントの報告を返信し、その後ステップ６１４が実行される。
【００７６】
ステップ６１４：ＬＣＳシステムは、ＬＣＳのエリアイベントの報告を受信した後、ＬＣＳクライアントにこのＬＣＳのエリアイベントの報告を送信する。
【００７７】
図７は、本発明の第３の実施形態におけるエリア変更イベントのロケーション要求のメッセージインタラクションを示す図である。図７に示すように、エリア変更イベントのロケーション要求手順のメッセージインタラクションは下記のステップを含む。
【００７８】
ステップ７０１は、本質的には、ステップ４０１と同じである。
【００７９】
ステップ７０２：Ｒ−ＧＭＬＣは、ＬＣＳサービス要求を受信した後、Ｈ−ＧＭＬＣにこのＬＣＳサービス要求を転送し、Ｈ−ＧＭＬＣは、ＬＣＳシステムがＬＣＳクライアントに対象ＵＥのロケーション推定情報を提供することを対象ＵＥが許可するか否かを決定するために、このＬＣＳクライアントの正当性認証をチェックする。ＬＣＳクライアントが正当性認証のチェックに合格すれば、Ｈ−ＧＭＬＣはＶ−ＧＭＬＣにＬＣＳサービス要求を送信し、このステップにおいて、Ｒ−ＧＭＬＣ又はＨ−ＧＭＬＣ又はＶ−ＧＭＬＣは、対象ＵＥにより提供される情報であって対象ＵＥが位置したエリア到達範囲についての情報が、対象ＵＥに向けたＬＣＳクライアントの位置決め要件を満たし得ることを発見する、例えば、対象ＵＥにより提供される情報であって対象ＵＥが位置したエリア到達範囲についての情報が、ＬＣＳサービス要求において伝送されたＱｏＳパラメータ要件に適合し得ることを発見し、次いでステップ７０３が実行される。Ｒ−ＧＭＬＣ又はＨ−ＧＭＬＣ又はＶ−ＧＭＬＣが、対象ＵＥにより提供された情報であって対象ＵＥが位置したエリア到達範囲についての情報が対象ＵＥに向けたＬＣＳクライアントの位置決め要件を満たし得ないことを発見した場合、Ｒ−ＧＭＬＣ又はＨ−ＧＭＬＣ又はＶ−ＧＭＬＣは、ステップ４０３乃至ステップ４２１、又はステップ５０３乃至ステップ５２６に従って、ＬＣＳクライアントにより対象ＵＥ向けに開始されたエリア変更イベントのロケーション要求を処理する。ＬＣＳクライアントが正当性認証のチェックに合格しなければ、Ｈ−ＧＭＬＣは、正当性認証のチェックに失敗したという応答をＲ−ＧＭＬＣに返信し、Ｒ−ＧＭＬＣは対象ＵＥ向けのエリア変更イベントのロケーション要求を拒否して、エリア変更イベントのロケーション要求の現在のプロセスを終了させる。
【００８０】
ステップ７０３乃至ステップ７０４は本質的にはステップ２０３乃至ステップ２０４と同じであるが、ただしこの場合の各相互作用的なメッセージは、対象ＵＥが位置したエリア到達範囲についての情報を提供するように対象ＵＥに要求する情報指示を伝送する。
【００８１】
ステップ７０５：ＣＮは、ＲＡＮを介して対象ＵＥにロケーションエリアイベントの呼び出しを送信する。ここで、このロケーションエリアイベントの呼び出しにおいて伝送される情報は、ＬＣＳサービス要求において伝送されるそれに対応し、さらにこれは情報指示を備えている。対象ＵＥは、ロケーションエリアイベントの呼び出しを受信した後、この情報指示を格納し、それ自体の関連アプリケーションプログラムを開始してエリア変更イベントの発生をモニタリングする。
【００８２】
ステップ７０６乃至ステップ７１０は、本質的には、ステップ２０６乃至ステップ２１０と同じである。
【００８３】
ステップ７１１乃至ステップ７１２：エリア変更イベントが発生したとき、すなわち対象ＵＥが指定された対象エリア到達範囲に進入するか、そこから離脱するか、又はそこに位置しているとき、対象ＵＥはＲＡＮを介してＣＮにＬＣＳのエリアイベントの報告を送信する。ここで、このＬＣＳのエリアイベントの報告は、エリア変更イベントが発生したことをＣＮに通知するために対象ＵＥが位置したエリア到達範囲についての情報を伝送し、次いで対象ＵＥが位置したエリア到達範囲についての情報をＣＮに提供する。
【００８４】
ステップ７１３乃至ステップ７１８は本質的にはステップ２１３乃至ステップ２１８と同じであるが、ただし各メッセージは、対象ＵＥが位置したエリア到達範囲についての情報を伝送する。
【００８５】
上記ステップ７１１乃至ステップ７１８におけるＶ−ＧＭＬＣは、対象ＵＥが現在位置したＧＭＬＣであって、かつ指定された対象エリア到達範囲をカバーすることのできるＧＭＬＣであり、ここでいう上記Ｖ−ＧＭＬＣは、ステップ７０２乃至ステップ７１０におけるものと同じＧＭＬＣである場合もあり、又はそうでなければ異なるＧＭＬＣである場合もある。同様に、上記ステップ７１１乃至ステップ７１８におけるＣＮは、対象ＵＥが現在位置したＣＮであって、かつ指定された対象エリア到達範囲をカバーすることのできるＣＮであり、ここでいう上記ＣＮは、ステップ７０２乃至ステップ７１０におけるものと同じＣＮである場合もあり、又はそうでなければ異なるＣＮである場合もある。
【００８６】
要約すれば、上述の説明は本発明の単なる好適な実施形態であり、本発明の保護範囲を限定するために使用されるものではない。
【図面の簡単な説明】
【００８７】
【図１】位置情報サービスを実装するための論理構造を示す概略図である。
【図２】従来技術におけるエリア変更イベントのロケーション要求のプロセスを示すメッセージインタラクションの図である。
【図３】本発明におけるエリア変更イベントのロケーション要求のプロセスを示すフローチャートである。
【図４】本発明の一実施形態におけるエリア変更イベントのロケーション要求のメッセージインタラクションを示す図である。
【図５】本発明の別の実施形態におけるエリア変更イベントのロケーション要求のメッセージインタラクションを示す図である。
【図６】本発明におけるエリア変更イベントのロケーション要求の別のプロセスを示すフローチャートである。
【図７】本発明の第３の実施形態におけるエリア変更イベントのロケーション要求のメッセージインタラクションを示す図である。
【図１】
2007534180.tif 000003
【図２】
2007534180.tif 000004
【図３】
2007534180.tif 000005
【図４】
2007534180.tif 000006
【図５】
2007534180.tif 000007
【図６】
2007534180.tif 000008
【図７】
2007534180.tif 000009
【国際調査報告】
2007534180.tif 000010
2007534180.tif 000011
2007534180.tif 000012
2007534180.tif 000013
2007534180.tif 000014
2007534180.tif 000015